(57)【要約】【課題】全く新規な収納ケースを提供することを目論み、ウエットタイプのロール状ペーパーの乾燥を可及的に防止して、長期にわたり保湿を保てるようにしながら、ロール状ペーパーの引き出しはこれを円滑に行えるようにする。【解決手段】ウエットタイプのロール状ペーパーを回転可能に収容する保湿性ケース１で、嵌合離脱自在に構成された下ケース２と上ケース３と、上下両ケース２，３の締め合せ部４の全域にわたって設けられたＯリング１３と、このウエットタイプのロール状ペーパー６を引き出すスリット状の引出口７と、この引出口７を開閉するように保湿性ケース１に開閉自在に取り付けられたカバー８とから構成されている。【選択図】　　　　図１
2004057555.tif 000002
【特許請求の範囲】
【請求項１】
ウエットタイプのロール状ペーパーを回転可能に収容する保湿性ケースで、嵌合離脱自在に構成された下ケースと上ケースと、上下両ケースの締め合せ部の全域にわたって設けられた気密材と、このロール状ペーパーの先端を引き出すスリット状の引出口と、この引出口を開閉するように保湿性ケースに開閉自在に取り付けられたカバーとからなることを特徴とするトイレットペーパー保湿ケース。
【請求項２】
気密材は、Ｏリングもしくは成形パッキンである請求項１記載のトイレットペーパー保湿ケース。
【請求項３】
保湿性ケースは、壁面への取り付け手段を備えている請求項１記載のトイレットペーパー保湿ケース。
【請求項４】
取り付け手段は、下ケースの背面に鉛直姿勢で一体的に取り付けられている取り付け板である請求項３記載のトイレットペーパー保湿ケース。
【発明の詳細な説明】
【０００１】
【産業上の利用分野】
この発明は、ウエットタイプのロール状トイレットペーパーを収納し、適宜引出口から繰り出して使用するのに用いられる保湿ケースに関する。
【０００２】
【従来の技術】
従来のロール状トイレットペーパーは、乾式で、卷芯にあるいは卷芯なしに長尺紙をロール状に巻き付け、これを適宜ホルダーと称される保持具に保持させている。
【０００３】
ところで、近年斯る乾式のトイレットペーパーに代わって、ウエットタイプのロール状のものが市販されるようになってきた。これは、例えば疾患や体調不良などのときに敏感な皮膚を不用意に刺激するのを予防したり、殊に幼児などには一層優しく、更には手やテーブル、床などの汚れを取るにも簡便で、効率良く　　拭き取れる優れた利便性を要求する結果であるためと考えられる。したがって、このウエットタイプのロール状ペーパーは、乾式と比較して使用量も大変少なくなり、資源の有効活用上も大変望ましい商品である。
【０００４】
また、従来のトイレットペーパーホルダー０１は、図６に示されるように、概ね壁面などへの取り付け板部０２と、その左右端に一体に連結され、トイレットペーパーを保持するたるめの、前方に突出する左右側板０３と、この左右側板０３の上端間にわたって掛け渡された、トイレットペーパー切断刃も兼ねたカバー板０４とから構成されている。なお、図中０５は、巻芯０６を支えるために、この左右の側板０３に設けられた支持具である。
【０００５】
【発明が解決しようとする課題】
しかし、このようなウエットタイプのトイレットペーパーは、依然として開放部の多いというよりは、全く開放された従来のホルダーに収容されて使用されている。その結果、ウエットタイプのロール状ペーパーは、表面から乾燥し、たちまちの内に従来の乾式のロール状ペーパーになってしまい、ウエットタイプ本来の優れた機能が全く削がれてしまう。
【０００６】
そこで、この発明は、このような観点から、全く新規な収納ケースを提供することを目論み、ウエットタイプのロール状ペーパーの乾燥を可及的に防止して、長期にわたり保湿を保てるようにしながら、ロール状ペーパーの引き出しはこれを円滑に行えるようにすることを課題とする。
【０００７】
【課題を解決するための手段】
以上の技術的な課題を解決するために、この発明の請求項１記載のトイレットペーパー保湿ケースは、ウエットタイプのロール状ペーパーを回転可能に収容する保湿性ケースで、嵌合離脱自在に構成された下ケースと上ケースと、上下両ケースの締め合せ部の全域にわたって設けられた気密材と、このロール状ペーパーの先端を引き出すスリット状の引出口と、この引出口を開閉するように保湿性ケースに開閉自在に取り付けられたカバーとからなるものである。
【０００８】
【作用】
以上の構成によるトイレットペーパー保湿ケースにおいては、まず上ケースを下ケースから外して下ケースの上部を開放する。ウエットタイプのロール状ペーパーをこの開放された上方から下ケース内に収納する。次いで、このロール状ペーパーの先端を繰り出し、下ケース上に一時的に載置した上ケースのスリット状の引出口にロール状ペーパーの先端を通して外方に引き出す。その後、この上ケースを下ケースに所期の嵌合姿勢にして嵌め込む。また、カバーによって引出口は外方から常時覆われている。ウエットタイプのロール状ペーパーを使用するには、先ずカバーを上方に持ち上げて引出口を開放し、所定量のロール状ペーパーを引き出す。次いで、引出口の開口縁で、あるいは閉止したカバーの下縁をカッター代わりとして適宜に引き千切る。使用後は、カバーによって引出口が閉鎖される。したがって、上ケースと下ケースとの締め合わせ部に設けられる気密材とこのカバーによって、この保湿性ケース内は外気と遮断されので、ウエットタイプのロール状ペーパーの水分の蒸散を上手く阻止し、長日月このウエットタイプのロール状ペーパーは、その湿潤状態が保持されることになる。
【０００９】
【発明の効果】
したがって、この発明の請求項１記載のトイレットペーパー保湿ケースは、以下の効果を奏する。
上ケースと下ケースとの締め合わせ部には気密材が設けられ、また、ウエットタイプのロール状ペーパーを引き出すための引出口にはカバーが設けられていて、保湿性ケース内は外気とうまく遮断される。つまりケース内は気密に保たれるので、ウエットタイプのロール状ペーパーの水分の蒸散を上手く阻止し、長日月にわたりウエットタイプのロール状ペーパーの保湿を維持できる。したがって、皮膚の刺激をより一層和らげ、しかも衛生的で、使用中、また、使用後の爽快感を得ることができる。
【００１０】
また、この発明に係るトイレットペーパー保湿ケースは、請求項２に記載されるように、気密材は、Ｏリングもしくはエラストマー等柔軟素材の成形パッキンであるのが望ましい。
下ケースと上ケースの締め合せ部の密着性を的確に保ち、結果として保湿性ケースの気密性を上手く保ち、ウエットタイプのロール状ペーパーの湿潤状態をうまく保てるからである。
【００１１】
更に、この発明に係るトイレットペーパー保湿ケースは、請求項３に記載されるように、壁面への取り付け手段を備えていたり、また、この取り付け手段が、下ケースの背面に鉛直姿勢で一体的に取設けられている取り付け板部であるのが望ましい。
壁面への取付けを、従来の手法と同じように、例えば両面接着テープを用いたり、ビスを用いたりなど種々簡易な取り付け手段を採用し易いからである。
【００１２】
【発明の実施の形態】
（第１の実施の形態）
以下、この発明に係るトイレットペーパー保湿ケースの実施の形態を図１〜５の記載に基づいて説明する。
【００１３】
ウエットタイプのロール状ペーパーを回転可能に収容する保湿性ケース１は、図２，３に示されるように、嵌合離脱自在に構成された下ケース２と上ケース３と、上下両ケースの締め合せ部４の全域にわたって設けられた気密材５と、このロール状ペーパー６を引き出すスリット状の引出口７と、この引出口７を開閉するように保湿性ケース１に開閉自在に取り付けられたカバー８とからなる。
【００１４】
このウエットタイプのロール状ペーパー６は、精製水、プロピレングリコール、パラベン、塩化セチルピリジニウムの混合液中に浸した水溶性のパルプ製またはケナフ製の紙をロール状に巻いて形成される。ロール状に巻くに当たっては、巻き芯を採用しても、芯無しでもよい。この発明に係るトイレットペーパー保湿性ケースはいずれのタイプであっても使用できる。また、ロール状ペーパー６は、切断し易くするために、幅方向に従来周知のミシン目（図外）が施されている。
【００１５】
下ケース２と上ケース３は、その前半部分がそれぞれ四分の一円筒状部分（以下単に部分円弧状部分という）２Ａ，３Ａを備え、また、後半部２Ｂ，３Ｂは、直線状に延長され、その直線状の延長端からはほぼ垂直に折れ曲がった背面板２Ｃ，３Ｃが一体に備わっている。またそれぞれの両端開口に、前半が半円形で後半部が矩形を呈する側面板２Ｄ，３Ｄが一体に設けられる。これら上下両ケース２，３は、合成樹脂を素材にして、射出成形、プレス成形あるいはブロー成形など公知の手段によって得られ、保湿性ケースは、全体に透明、もしくは半透明、更には不透明、色彩の有無等如何なる態様も採用できる。また、これら上下のケース２，３に使用される代表的な素材は、ＡＢＳ樹脂（アクリロニトリルブタジェン−スチレン樹脂）である。
【００１６】
下ケース２と上ケース３の締め合せ部４は、図２に示されるように、以下の構成によって得られる。
先ず、下ケース２は、その開口周縁全域にわたって、段部９が形成されている。この段部９は、開口縁の幅方向の１／２内側に、背面を下ケース２の内面と同じ面にして上方に一体に立ち上がる立上りフランジ１０によって得られる。また、上ケース３は、その開口周縁全域にわたって、段部１１が形成されている。この段部１１は、開口縁の幅方向の１／２外側に、正面を上ケース２の表面と同じ面にして下方に一体に垂下する垂下フランジ１２によって得られる。そして、これら上下のケース２，３が、互いに段部９，１１同士を嵌合し合うことで、この締め合せ部４が得られる。
【００１７】
この締め合せ部４の全周にわたってに設けられる気密材５は、一例としてのＯリング１３が採用されている。このＯリング１３は、下ケース２の立上りフランジ１０の外面に形成された凹部１４内に、この立上りフランジ１０の外面よりも一部を露出させるようにして、嵌装されている。したがって、上ケース３を下ケース２に嵌合させると、上ケース３の垂下フランジ１２の内面がこのＯリング１３に密接する。その結果、保湿性ケース１の内部の気密が的確に保たれることになる。Ｏリング１３に使用される素材は天然ゴムや合成ゴムである。また、このＯリング１３に代表される気密材としては、Ｏリングの他に、例えば独立気泡を備えた軟質なポリウレタンフォーム、エラストマーなどの柔軟素材からなる成形パッキン、また必要に応じて不織布なども採用される。
【００１８】
上ケース３の部分円弧部分３Ａは、図１〜５に示されるように、その左右と下の開口縁に少しの張出し部１５を残して、全体がこの部分円弧部分３Ａの肉厚にほぼ相当する寸法分内方に凹入された凹入部１６が設けられている。
【００１９】
引出口７は、上ケース３の部分円弧部分３Ａの下縁近くで、この凹入部１６の横幅一杯の寸法にわたって穿設されてなるスリットから構成される。また、このスリット状の引出口７は、図２に示されるよう、部分円弧部分３Ａの表面（前面）側から裏面（内面）側に向うにしたがって順次下位となるように、傾斜して形成されている。したがって、このスリット状の引出口７の表面側の下縁は鋭角になり、ロール状ペーパー６の切断が容易に行える形状に構成されている。
【００２０】
カバー８は、図１〜５に示されるように、上ケース３の部分円弧部分３Ａとほぼ同じ曲率を持った部分円弧状に形成されるとともに、この部分円弧部分３Ａに形成され凹入部１６と同等の大きさに形成されている。また、肉厚は、この凹入部１６の凹入寸法（深さ）とほぼ同等に設定されている。また、このカバー８は、その左右側縁の上端部分と凹入部１６の左右側縁の上端部分に設けられた枢支構造１７を支点にして、上下開閉自在に支持されている。この枢支構造１７は、図４に示されるように、周知の、凸軸１７Ａとこれを嵌合する凹入穴１７Ｂとの組み合わせによって構成されている。この実施例では、カバー８側に凸軸１７Ａが、また、上ケース３側に凹入穴１７Ｂが設けられて構成されている。また、このカバー８の後端縁は、全長にわたって断面円形の軸部８Ａに形成され、この軸部８Ａを嵌入する半円形状の軸受け部１６Ａがこの凹入部１６の後端縁の全長にわたって設けられている。したがって、カバー８を閉止すると、図１に示されるように、スリット状の引出口７はこのカバー８によって完全に閉塞され、また、カバー８の上面と上ケース３の部分円弧部分３Ａの張出し部１５の上面、そして後半部３Ｂの少なくとも前部の上面が同じ高さレベルになり、優美な外観を呈している。このカバー８は、ポリプロピレンを素材にして成形されている。
【００２１】
取り付け手段１８は、保湿性ケース１を壁面などに装着するために必要とされるものである。具体的には、図２に示されるように、以下のような構造を備えている。
保湿性ケース１の下ケース２の背面板３Ｃに一体に設けられていて、基本的には、鉛直方向に延びる板部材１９と、その上下方向の中間部分を背面板３Ｃに一体に連結する繋ぎブロック２０とから構成される。この実施の形態では、図３に示されるように、この板部材１９の左右の上方部分に、図外のネジを挿通させるネジ挿通穴２１が設けられている。したがって、ネジや釘などの固定手段を採用する場合には、この板部材１９は、少なくともこのネジ挿通穴２１を設けるに足る寸法分は下ケース２の背面板２Ｃの上端よりも上方に延設される必要がある。また、両面接着テープなどを採用する場合には、繋ぎブロック２０から下方に延設されている板部分１９Ａだけであっても所期の固定を可能にする。
なお、この板部材１９並びに繋ぎブロック２０も共に下ケース２と一体成形されることは言うまでもない。また、使用される素材も上下のケース２，３と同一素材であることも言うまでもない。
【００２２】
上ケース２の張出し部１５の内、この上ケース２の開口縁に沿って設けられた部位１５Ａの左右中間には、図１に示されるように、凹入部１６に引き続いて更に下方に向う、半円状の凹入部２２が形成されている。カバー８の下縁への指先の引っ掛かりを容易にし、カバー８を開き易いようにするためである。
【００２３】
図２に示されるように、上ケース３の後半部３Ｂの後縁と背面板３Ｃの上縁の出会い部分（コーナー部分）で、左右の中間部分は、内方に凹入した差し込み２３が形成されている。上ケース３を下ケース２から外す際に、この差し込み２３に手指を差し込んで上方に引き上げることで、上ケース３の取り外しが容易になる。
【００２４】
以上の構成において、まず、ロール状ペーパー６を保湿性ケース１に入れるには、上ケース３を下ケース２から外して下ケース２の上部を開放する（図３参照）。ウエットタイプのロール状ペーパー６をこの開放された上方から下ケース２内に収納する。次いで、このロール状ペーパー６の先端を繰り出し、下ケース２上に一時的に載置された上ケース３のスリット状の引出口７にロール状ペーパー６の先端を通して外方に引き出す。その後、この上ケース３を下ケース２に所期の嵌合姿勢にして嵌め込む。また、カバー８によって引出口７は外方から常時覆われている。ウエットタイプのロール状ペーパー６を使用するには、図５に示されるように、先ずカバー８を上方に持ち上げて引出口７を開放し、所定量のロール状ペーパー６Ａを引き出し、引出口７の開口縁で適宜に引き千切る。使用後は、カバー８によって引出口７を閉鎖すれば、上ケース３と下ケース２との締め合わせ部４に設けられるＯリング１３と、このカバー８によって、この保湿性ケース１内は外気と遮断される。したがって、この保湿性ケース１内に収納されているウエットタイプのロール状ペーパー６の水分の蒸散を上手く阻止し、長日月このウエットタイプのロール状ペーパー６を湿潤状態に保つ。
【００２５】
以上の使用状態にあって、ロール状ペーパー６を引き千切るに当たって、引出口７の開口縁で適宜に引き千切る使用の形態以外にも、次の手段を採用するのがより望ましい。
つまり、カバー８を上方に持ち上げて引出口７を開放し、所定量のロール状ペーパー６Ａを引き出す。次いで、再びカバー８を降ろして、図１に示される、引出口７を閉鎖する姿勢に戻す。その結果、ロール状ペーパー６は、このカバー７と上ケース３の凹入部１６表面との間で挟持される。この状態で、カバー８を片手で押えつつ、既に引き出されたロール状ペーパー６部分６Ａをカバー８の下縁をカッター代わりにして引き千切る。この手段によれば、ロール状ペーパー６の次に引き出されるべき先端部分６Ｂは（図１参照）、引出口７から凹入部１６の下縁にまで常時繰り出された状態で残ることになるから、次回のロール状ペーパー６の引き出しが大変容易となる。
【００２６】
また、この保湿性ケース１は、背面の取り付け手段１８を介して、ネジや釘、あるいは両面接着テープなどを介して壁面などに取りつけられる。
【図面の簡単な説明】
【図１】この発明の実施の形態におけるトイレットペーパー保湿ケースの外観図である。
【図２】この発明の実施の形態におけるトイレットペーパー保湿ケースを示し、一部を取り出して拡大した要部の拡大図を含む断面図である。
【図３】この発明の実施の形態におけるトイレットペーパー保湿ケースの分解説明図である。
【図４】この発明の実施の形態におけるトイレットペーパー保湿ケースの要部の拡大分解斜視図である。
【図５】この発明の実施の形態におけるトイレットペーパー保湿ケースの作用を示す外観図である。
【図６】従来のトイレットペーパー保持具の外観図である。
【符号の説明】
１…保湿性ケース，２…下ケース，３上ケース，４…締め合せ部，５…気密材，６…ウエットタイプのロール状ペーパー，７…引出口，８…カバー，１３…Ｏリング，１８…取り付け手段，１９…板部材，２０…繋ぎブロック。
【図１】
2004057555.tif 000003
【図２】
2004057555.tif 000004
【図３】
2004057555.tif 000005
【図４】
2004057555.tif 000006
【図５】
2004057555.tif 000007
【図６】
2004057555.tif 000008